(57)【要約】【課題】バンドの巻き付け力の適正化を図る。【解決手段】生体情報測定センサ取付用の指装着バンド１００の外表面に、バンド伸縮量に応じて伸び縮みする図形１０２を印刷する。バンドの伸縮方向を縦方向、それと直交する方向を横方向とした場合、その図形１０２は、最適な締め付け力を発揮する適正な伸長量だけバンドが伸びたときに縦横寸法の略等しい適正バランスの図形（例：真円＝○）となり、それより過小の伸長量のときに縦寸法が横寸法より短い歪んだ図形（例：楕円）となり、また過大の伸長量のときに縦寸法が横寸法より長い歪んだ図形（例：楕円）となるものである。バンド１００の両端は、面ファスナ１１、１２で任意の位置で止められる。【選択図】図２
2006055517.tif 000002
【特許請求の範囲】
【請求項１】
巻き付け方向に伸縮可能であり、指や手などの被検知部に巻き付けて固定された際に、伸長量に応じた締め付け力を発揮する生体情報測定センサ取付用バンドにおいて、
バンド外表面に、バンド伸縮量に応じて伸び縮みする図形が描かれており、バンドの伸縮方向を縦方向としそれと直交する方向を横方向とした場合、その図形が、最適な締め付け力を発揮する適正な伸長量だけバンドが伸びたときに縦横寸法の略等しい適正バランスの図形となり、それより過小の伸長量のときに縦寸法が横寸法より短い歪んだ図形となり、また過大の伸長量のときに縦寸法が横寸法より長い歪んだ図形となるものであることを特徴とする生体情報測定センサ取付用バンド。
【請求項２】
請求項１に記載の生体情報測定センサ取付用バンドであって、
前記バンドの両端の互いに重ね合わせられる面に面ファスナが設けられていることを特徴とする生体情報測定センサ取付用バンド。
【請求項３】
請求項１または２に記載の生体情報測定センサ取付用バンドであって、
前記図形が、最適な締め付け力を発揮する適正な伸長量だけバンドが伸びたときに円となるものであることを特徴とする生体情報測定センサ取付用バンド。
【請求項４】
請求項１〜３のいずれかに記載の生体情報測定センサ取付用バンドであって、
前記生体情報測定センサが脈拍センサであり、指に巻き付けて使用する脈拍計用のものであることを特徴とする生体情報測定センサ取付用バンド。
【請求項５】
人体の手に生体情報測定装置本体を装着固定するための生体情報測定装置用ホルダであって、
生体情報測定装置本体が固定可能であって、生体情報測定装置用ホルダを手に装着した際に、手の甲側を覆う生体情報測定装置本体固定部と、
当該生体情報測定装置本体固定部の手の指側に延出して形成され、親指を除く手の指のうちの何れかに係止して指に固定することができる指装着部と、
当該生体情報測定装置本体固定部の手首側に延出してベルト状に形成され、手首の一方側から他方側へ巻回して係止して手首に固定することができる手首装着部と、を有し、
前記指装着部を構成するバンドとして、請求項１〜４のいずれかに記載の生体情報測定センサ取付用バンドが使用されていることを特徴とする生体情報測定装置用ホルダ。
【請求項６】
請求項５に記載の生体情報測定装置用ホルダであって、
前記生体情報測定装置本体固定部には、生体情報測定装置本体に設けられた係止部に係止した後、折り返して、折り返した部分を係止することにより、生体情報測定装置本体を固定することができる折り返し部が設けられていることを特徴とする生体情報測定装置用ホルダ。
【請求項７】
請求項５または６に記載の生体情報測定装置用ホルダであって、
前記生体情報測定装置本体固定部に設けられた折り返し部及びその折り返し部が折り返して係止される部分に互いに係合する面ファスナが設けられていることを特徴とする生体情報測定装置用ホルダ。
【請求項８】
請求項５〜７のいずれかに記載の生体情報測定装置用ホルダであって、
前記生体情報測定装置本体固定部には、一または複数の孔が設けられていることを特徴とする生体情報測定装置用ホルダ。
【請求項９】
請求項５〜８のいずれかに記載の生体情報測定装置用ホルダであって、
前記生体情報測定装置本体固定部には、手首装着部の先端部側を通し、その先端部側を折り返して手首装着部に係止するための折り返し用穴が設けられていることを特徴とする生体情報測定装置用ホルダ。
【請求項１０】
請求項９に記載の生体情報測定装置用ホルダであって、
前記手首装着部の先端部分側の表面及びこの先端部分側が当該生体情報測定装置本体固定部に設けられた折り返し用穴を通され折り返されて接する部分に、互いに係合する面ファスナが設けられていることを特徴とする生体情報測定装置用ホルダ。
【請求項１１】
請求項５〜１０のいずれかに記載の生体情報測定装置用ホルダであって、
伸縮自在の一枚の布部材をベースとして形成されていることを特徴とする生体情報測定装置用ホルダ。
【発明の詳細な説明】
【技術分野】
【０００１】
本発明は、脈拍計等の生体情報測定装置において、生体情報測定センサを指等の被検知部に適正に装着するための生体情報測定センサ取付用バンド、及び、その生体情報測定センサ取付用バンドを指装着部に使用した生体情報測定装置用ホルダに関するものである。
【背景技術】
【０００２】
人の手首や指などの被検知部にバンドを巻き付けて、バンド上に取り付けた生体情報測定センサにより被検知部から脈拍などの情報を検知する簡易型の生体情報測定装置が最近ではよく知られている。この種の簡易型の生体情報測定装置は、一般の人が手軽に使用できるものであることから、例えばウォーキングしながら脈拍測定を行うこともよくある。
【０００３】
しかし、ウォーキングしながら測定すると、手を下げ振りしながらの測定となるため、血液が手の先に集まることにより、例えば指の根元で脈拍を検出している場合、人によっては脈拍が小さくなってしまい、精度良く測定できなくなることがあった。
【０００４】
この現象の対策としては、指や手首を一定の力でバンドにより締め付けることが重要であると考えられるが、バンドを巻き付ける際に一定の力で巻き付けるのは実際のところなかなか難しい。
【０００５】
この点、従来、伸縮性を有するバンドに、バンド巻き付け強さを示すための伸縮可能な目印部（マーキング部）を設けると共に、同バンドに目印部の伸縮の度合いを判定して最適なバンド巻き付け強さを求めるための基準部を設けたものが知られている（例えば、特許文献１参照）。この技術においては、目印部が、バンドの伸縮に伴って伸縮するので、その伸縮の度合いによってバンドの巻き付け強さを示すことができる。また、基準部が、目印部の伸縮の度合いを判定するための基準となるから、目印部の伸縮の度合いを基準部で判断することにより、最適なバンド巻き付け強さとなっているか否かを判定することができる。
【０００６】
因みに、この種のバンド巻き付け型の脈拍計において、バンドの巻き付けが弱過ぎると、脈圧発生部と脈圧センサとの間に隙間が生じて、誤動作を発生する可能性が出てくる。逆に、バンドの巻き付けが強過ぎると、脈圧センサや脈圧発生部に圧力が加わり過ぎて検出信号が小さくなってしまい、脈拍の検出ができなくなる可能性が出てくる。
【０００７】
【特許文献１】特開平５−３２９１１７号
【発明の開示】
【発明が解決しようとする課題】
【０００８】
ところで、特許文献１に記載の技術では、巻き付け力が適正かどうかを判定するための手段として、目印部と基準部の２つを設けているので、要素が多い分だけコストがかかるという問題があった。
【０００９】
本発明は、上記事情を考慮し、バンドの巻き付け力が適正かどうかを見極めるための手段の単純化と低コスト化を図った生体情報測定センサ取付用バンド、及び、その生体情報測定センサ取付用バンドを指装着部に使用した生体情報測定装置用ホルダを提供することを目的とする。
【課題を解決するための手段】
【００１０】
請求項１の発明の生体情報測定センサ取付用バンドは、巻き付け方向に伸縮可能であり、指や手などの被検知部に巻き付けて固定された際に、伸長量に応じた締め付け力を発揮するものにおいて、バンド外表面に、バンド伸縮量に応じて伸び縮みする図形が描かれており、バンドの伸縮方向を縦方向としそれと直交する方向を横方向とした場合、その図形が、最適な締め付け力を発揮する適正な伸長量だけバンドが伸びたときに縦横寸法の略等しい適正バランスの図形となり、それより過小の伸長量のときに縦寸法が横寸法より短い歪んだ図形となり、また過大の伸長量のときに縦寸法が横寸法より長い歪んだ図形となるものであることを特徴とする。
【００１１】
請求項２の発明は、請求項１において、前記バンドの両端の互いに重ね合わせられる面に面ファスナが設けられていることを特徴とする。
【００１２】
請求項３の発明は、請求項１または２において、前記図形が、最適な締め付け力を発揮する適正な伸長量だけバンドが伸びたときに円となるものであることを特徴とする。
【００１３】
請求項４の発明は、請求項１〜３のいずれかにおいて、前記生体情報測定センサが脈拍センサであり、指に巻き付けて使用する脈拍計用のものであることを特徴とする。
【００１４】
請求項５の発明は、人体の手に生体情報測定装置本体を装着固定するための生体情報測定装置用ホルダであって、生体情報測定装置本体が固定可能であって、生体情報測定装置用ホルダを手に装着した際に、手の甲側を覆う生体情報測定装置本体固定部と、当該生体情報測定装置本体固定部の手の指側に延出して形成され、親指を除く手の指のうちの何れかに係止して指に固定することができる指装着部と、当該生体情報測定装置本体固定部の手首側に延出してベルト状に形成され、手首の一方側から他方側へ巻回して係止して手首に固定することができる手首装着部と、を有し、前記指装着部を構成するバンドとして、請求項１〜４のいずれかに記載の生体情報測定センサ取付用バンドが使用されていることを特徴とする。
【００１５】
請求項６の発明は、請求項５において、前記生体情報測定装置本体固定部には、生体情報測定装置本体に設けられた係止部に係止した後、折り返して、折り返した部分を係止することにより、生体情報測定装置本体を固定することができる折り返し部が設けられていることを特徴とする。
【００１６】
請求項７の発明は、請求項５または６において、前記生体情報測定装置本体固定部に設けられた折り返し部及びその折り返し部が折り返して係止される部分に互いに係合する面ファスナが設けられていることを特徴とする。
【００１７】
請求項８の発明は、請求項５〜７のいずれかにおいて、前記生体情報測定装置本体固定部には、一または複数の穴が設けられていることを特徴とする。
【００１８】
請求項９の発明は、請求項５〜８のいずれかにおいて、前記生体情報測定装置本体固定部には、手首装着部の先端部側を通し、その先端部側を折り返して手首装着部に係止するための折り返し用穴が設けられていることを特徴とする。
【００１９】
請求項１０の発明は、請求項９において、前記手首装着部の先端部分側の表面及びこの先端部分側が当該生体情報測定装置本体固定部に設けられた折り返し用穴を通され折り返されて接する部分に、互いに係合する面ファスナが設けられていることを特徴とする。
【００２０】
請求項１１の発明は、請求項５〜１０のいずれかにおいて、伸縮自在の一枚の布部材をベースとして形成されていることを特徴とする。
【発明の効果】
【００２１】
請求項１の発明によれば、バンドの外表面に描いた図形の形（特に縦横の寸法バランス）を一目みるだけで、適正な締め付け力を発揮できる状態になっているかどうかを簡単明瞭に判断することができる。即ち、歪みのない適正なバランスの図形となっていれば、適正な締め付け力が発揮される状態になっていると判断することができるし、歪みのあるバランスの悪い図形となっていれば、不適正な力で締め付けが行われていると判断することができる。このように図形の形を見るだけで、バンドの締め付け状態を単純に判断できるので、目印部と基準部の２つの要素を必要とする従来技術と比べて、構成が単純であり、コストもかからない。
【００２２】
請求項２の発明によれば、バンドの両端の面ファスナにより、任意の位置で簡単にバンドを止めることができるので、被検知部（例えば指）の太い細いによらず、図形の形を見ながら適正な締め付け状態を作ることができる。
【００２３】
請求項３の発明によれば、その図形として、最適な締め付け状態のときに円となるものを使用したので、円の潰れ方を見ながら締め付け状態を確認することができ、誰でもやさしく見極めができる。例えば、取り扱い指示書に、「マーク（図形）がちょうど円（○）になったところで、バンドを固定してください」と書いておくだけで、適正な締め付け状態を実現することができる。
【００２４】
請求項４の発明によれば、被検知部を適正な締め付け力で締め付けながら、脈拍センサを被検知部に適正な押圧力で押圧させることができるので、ウォーキング時においても正確に脈拍を測定することができる。
【００２５】
請求項５の発明の生体情報測定装置用ホルダは、生体情報測定装置本体が固定可能であって、生体情報測定装置用ホルダを手に装着した際に、手の甲側を覆う生体情報測定装置本体固定部と、当該生体情報測定装置本体固定部の手の指側に延出して形成され、親指を除く手の指のうちの何れかに係止して指に固定することができる指装着部と、当該生体情報測定装置本体固定部の手首側に延出してベルト状に形成され、手首の一方側から他方側へ巻回して係止して手首に固定することができる手首装着部とから構成されており、この生体情報測定装置用ホルダには掌を覆う部分が無いため、手に汗をかいて脱ぎにくくなることがない。また、掌を覆う部分がないこと及び親指に生体情報測定装置用ホルダがかからず親指がフリーになることから、手をスムーズに動かすことができる。また、手首装着部を手首に巻回して係止できるため、簡単に手に装着することもできる。また、指装着部を構成するバンドとして、請求項１〜４のいずれかに記載の生体情報測定センサ取付用バンドを使用しているので、前述した相応の効果を奏することができる。
【００２６】
請求項６の発明によれば、生体情報測定装置本体固定部には、生体情報測定装置本体に設けられた係止部に係止した後、折り返して、折り返した部分を係止することにより、生体情報測定装置本体を固定することができる折り返し部が設けられているので、この折り返し部を利用することにより、生体情報測定装置本体を簡単に素早く生体情報測定装置用ホルダに固定することが可能となる。
【００２７】
請求項７の発明によれば、前記折り返し部及びその折り返し部が折り返して係止される部分に面ファスナが設けられているので、その取り付け・取り外しを簡単に素早く行うことができる。
【００２８】
請求項８の発明によれば、生体情報測定装置本体固定部には、一又は複数の穴が設けられているため、この穴から汗が蒸発し易くなる一方、手が汗で蒸れ難くなるため、良い装着感が得られる。
【００２９】
請求項９の発明によれば、生体情報測定装置本体固定部には、手首装着部の先端部側を通し、その先端部側を折り返して手首装着部に係止するための折り返し用穴が設けられているので、その穴に手首装着部の先端部側を通し、その先端部側を折り返して手首装着部に係止することにより、手や手首の大きさに拘らず、個々のサイズに合わせてホルダをしっかりと装着することが可能となる。
【００３０】
請求項１０の発明によれば、手首装着部の先端部分側の表面及びこの先端部分側が生体情報測定装置本体固定部に設けられた折り返し用穴を通され折り返されて接する部分に面ファスナが設けられているので、手首装着部を巻回して容易に素早く係止することができる。
【００３１】
請求項１１の発明によれば、生体情報測定装置用ホルダは、伸縮自在の一枚の布部材をベースとして形成されている。従って、生体情報測定装置用ホルダのベースとなる布部材が複数から構成されないため、加工が容易で、製造コストも低く抑えることが可能となる。また、伸縮自在の布部材をベースとするため、生体情報測定装置用ホルダが装着時に手にフィットしやすくなり、良い装着感を得ることができる。また、指装着部の係止穴に生体情報測定用センサを係止した場合、装着時に生体情報測定装置用ホルダが指に張り付くようにフィットすることとなり、生体情報測定用センサがしっかりと指表面に好適に押し付けられるため、脈拍等の生体情報をしっかりと計測することができる。
【発明を実施するための最良の形態】
【００３２】
以下、本発明の実施形態を図面を参照して説明する。
図１は生体情報測定装置としての指バンド式脈拍計に使用される指装着バンドを示す斜視図、図２は指バンドの伸長量を変化させた場合のマーク（図形）の形状の変化を示す図である。脈拍計の本体部やセンサは図示省略してある。
【００３３】
このバンド１００は、巻き付け方向（矢印Ｎ方向）に伸縮可能であり、指（被検知部）に巻き付けて固定された際に、伸長量に応じた締め付け力を発揮して、バンド上に取り付けられた脈拍センサ（生体情報測定センサ）を指上の被検知箇所に押圧させるものである。
【００３４】
このバンド１００には、脈拍センサを取り付けるための取付孔１３の他に、指に巻き付けた際に見やすい外面上の位置に、特別な図形（マーク）１０２が印刷されている。なお、印刷以外の方法で図形を描いても勿論よい。この図形１０２は、バンド１００の伸縮量に応じて伸び縮みするものであり、バンド１００の伸縮方向を縦方向としそれと直交する方向を横方向とした場合、図２（ｂ）のように最適な締め付け力を発揮する適正な伸長量だけバンド１００が伸びたときに縦寸法Ｔと横寸法Ｙの略等しい適正バランスの図形となり、（ａ）のようにそれより過小の伸長量のときに縦寸法Ｔが横寸法Ｙより短い歪んだ図形となり、また（ｃ）のように過大の伸長量のときに縦寸法Ｔが横寸法Ｙより長い歪んだ図形となる、ような図形である。
【００３５】
本例では、適正締め付け量（伸長量）のときに真円（○）となる図形１０２が印刷されている。つまり、収縮状態での印刷時には、図２（ａ）に示すような楕円である。また、このバンド１００の両端の互いに重ね合わせられる面には、互いに係合する面ファスナ１１、１２が設けられている。
【００３６】
このように、バンド１００の外表面に所定形状の図形１０２を印刷しておくことにより、図２に示すように、図形１０２の形（特に縦横寸法Ｔ、Ｙのバランス）を一目みるだけで、適正な締め付け力を発揮できる状態になっているかどうかを簡単明瞭に判断することができる。即ち、（ｂ）に示すように、歪みのない適正なバランスの図形（真円＝○）となっていれば、適正な締め付け力が発揮される状態になっていると判断することができるし、（ａ）、（ｃ）に示すように、歪みのあるバランスの悪い図形（楕円）となっていれば、不適正な力で締め付けが行われていると判断することができる。例えば、取り扱い指示書に、「バンド１００に印刷した図形１０２がちょうど真円（○）になったところで、バンド１００を固定してください」と書いておくだけで、適正な締め付け状態を実現することができる。
【００３７】
従って、このように図形１０２の形を見るだけでバンド１００の締め付け状態を単純に判断できるので、バンド１００の適正締め付けが簡単にでき、脈拍センサを被検知箇所に適正な押圧力で押圧させることができて、ウォーキング時においても正確に脈拍を測定することができる。また、本バンド１００は、目印部と基準部の２つの要素を必要とする従来技術と比べて、構成が単純であり、コストもかからない、という利点を持つ。
【００３８】
また、実際にはバンド１００の両端の面ファスナ１１、１２により、任意の位置で簡単にバンド１００を止めることができるので、指の太い細いによらず、図形１０２の形を見ながら適正な締め付け状態を作ることができる。なお、適正な締め付け力は、色々な人の脈の状態を見ながら決定するのが望ましく、おおよその実験結果からは、３０ｇ〜２５０ｇの範囲が適当であることが分かった。
【００３９】
上記実施形態においては、図形１０２として円（図３（ａ））を採用したが、図３（ｂ）〜（ｅ）に示すように、正方形、三角形、十字、×印等の各種の図形を採用することも可能である。
【００４０】
次に上記バンド１００を指装着部に使用した生体情報測定装置用ホルダについて、図４〜図９を参照して説明する。このホルダは、表示部分を含む装置本体を手首にではなく、手の甲部分に取り付けられるようにしたものであり、
（ａ）表示部分が見やすい
（ｂ）手にしっかりと固定できる
（ｃ）手首の自由度を阻害しない
（ｄ）掌側を解放でき、手を握った場合でも、違和感を生じにくくする
（ｅ）手が汗ばんだ状態であっても、着脱を容易にする
等の要求を満たすように工夫したものである。
【００４１】
以下、このホルダを脈拍計に使用する場合を例に挙げて説明する。
図４は生体情報測定装置用ホルダの表面側の展開図、図５は裏面側の展開図、図６はホルダの指装着部の変形例を示す表面側の展開図、図７は脈拍計を生体情報測定装置用ホルダに装着固定した状態を示す図、図８は図７のＡ−Ａ断面図、図９は生体情報測定装置用ホルダを手に装着する動き及び装着時の状態を示す図であり、（１）は装着時の動きを示す図、（２）及び（３）は装着状態を手の甲側の斜め上方及び掌側から見た図である。
【００４２】
これらの図中、１０は指装着部であり、この指装着部１０を構成するバンドとして、図１、図２に示したバンド１００が使用されている。１１は雄型面ファスナ、１２は雌型面ファスナ、１３はセンサ取付穴、１０２は印刷された図形（マーク）である。また、２０は脈拍計本端固定部、２１は雌雄混在型面ファスナ、２２は雌雄混在型面ファスナの折り返し部、２３はグロメット、２４は折り返し用穴、２５は通気用穴、３０は手首装着部、３１及び３２は雌雄混在型面ファスナ、４０はベースとなる布部材、５０は脈拍計本体、５１は脈拍計本体に設けられた係止部、６０は脈拍センサ、７０は脈拍計本体と脈拍センサを繋ぐコードである。
【００４３】
この生体情報測定装置用ホルダ１は、一枚の布部材４０をベースとして構成され、各図に示されるように、中央に膨らみをもたせたやや幅広に形成された生体情報測定装置本体固定部２０と、この生体情報測定装置本体固定部２０から手の指側に延出してベルト形状に形成された指装着部１０と、生体情報測定装置本体固定部２０の手首側に延出してベルト状に形成された手首装着部３０とから構成される。この実施例に係る生体情報測定装置用ホルダ１は、右手に装着するタイプのものであり、左手に装着するタイプはこれと線対称に構成される。
【００４４】
布部材４０は、一体に構成されているものであれば良く、積層構造となっていても良いことは勿論である。また、布部材４０は、伸縮可能なものであれば更に良い。本実施例では、伸縮性を有する布部材が使用されている。
【００４５】
生体情報測定装置本体固定部２０には、図４及び図７に示すように、生体情報測定装置本体固定部２０の手首側（生体情報測定装置用ホルダを装着した際に、人の体に向かう部分側）に沿って指装着部１０近傍から手首装着部３０近傍まで雌雄混在型面ファスナ２１が設けられている。この雌雄混合面ファスナ２１からは、指装着部１０側と手首装着部３０側とから、脈拍計本体５０の係止部５１により形成された穴に差し込んで折り返して面ファスナ同士を係止して、脈拍計本体５０を生体情報測定装置本体固定部２０に固定するための、雌雄混在型面ファスナの折り返し部２２，２２が対になって対向する位置に突出して設けられている。雌雄混在型面ファスナ２１はベースとなる布部材４０に縫着されているが、この折り返し部２２，２２は、折り返すことができるように、ベースとなる布部材４０に縫着されていない。
【００４６】
この雌雄混在型面ファスナの折り返し部２２，２２の間には通気用の穴２５が設けられている。本実施例において、通気用の穴は一つであるが、複数設けられても良い事は勿論である。
【００４７】
また、この生体情報測定装置本体固定部２０の手首側には、手首装着部３０の先端側を挿入し折り返して係止するための折り返し用穴２４が設けられている。この折り返し用穴２４を補強すると共にスムーズに着脱可能とするため樹脂製のグロメット２３が設けられている。このグロメット２３は、生体情報測定装置用ホルダの形状、大きさに等によっては、利便性を考慮し必ずしも設けなくても良い。
【００４８】
なお、生体情報測定装置本体固定部２０は、脈拍計本体５０を固定できれば、その形状、大きさ、手段等は問われないものである。
【００４９】
指装着部１０は、生体情報測定装置本体固定部２０の指側に延出したバンドとして形成されている。この指装着部１０は、指に巻回して指に装着するために指と略直角に交わるように形成されていると共に先端側へ向かうに従って若干幅が狭くなるように形成されている。本実施例において指装着部１０は、手首装着部３０が延出して形成される方向と逆方向に延出して形成されているが、同様の構成で指に巻回できれば良いため、図６に示すように、手首装着部３０と同じ方向に延出して形成されても良い。
【００５０】
この指装着部１０の先端部の裏面には、図５に示すように、雌型面ファスナ１２が縫着され、基端部の表面には図４に示すように、雄型面ファスナ１１が縫着されている。指装着部１０を巻回して係止できればよいため、雌雄の面ファスナ型が逆となっても良く、また、雌雄混合型の面ファスナを用いても良い。
【００５１】
更に、指装着部１０の雌型面ファスナ１２と雄型面ファスナ１１の間の略中間には、脈拍センサを取り付けるためのセンサ取付穴１３が設けられ、そのセンサ取付穴１３がある指装着部１０の生体情報測定装置本体固定部２０に向かう側には、コード７０をホールドし易くする意味で凸部（出っ張り）１４が設けられている。
【００５２】
手首装着部３０は、各図に示されるように、生体情報測定装置本体固定部２０の手首側に延出してベルト状に形成されている。手首装着部３０の表面の略中間部から先端部にかけては雌雄混合型面ファスナ３１が縫着して設けられ、基端側には先端部を生体情報測定装置本体固定部２０の折り返し用穴２４に通して折り返して係止するための雌雄混合型面ファスナ３２も縫着して設けられている。手首装着部３０は、折り返して係止できれば良いため、全体に雌雄混合型面ファスナを縫着しても良い。また、係止出来ればよいため、雌雄混合型面ファスナ３１，３２を、雌雄異なる型の面ファスナで構成しても良い。
【００５３】
なお、手首装着部３０は、折り返して係止できれば良く、その長さ、幅、形状も特に問われないものである。
【００５４】
次に、図７、図９を参照しながら、生体情報測定装置用ホルダ１の装着方法について説明する。
先ず、使用者は、生体情報測定装置用ホルダ１を装着する前に、脈拍計本体５０の長手方向両端に設けられた係止部５１，５１により形成された穴に折り返し部２２，２２を通して、折り返して雌雄混合型面ファスナ２１に押圧して面ファスナ同士を係合させ、脈拍計本体５０を固定する。図８においては、この脈拍計本体５０が固定された状態を図７のＡ−Ａ断面図として示している。また、脈拍センサ６０をセンサ取付穴１３に固定する。
【００５５】
次に、図９（１）に示すように、指装着部１０を指側に、手首装着部３０を手首側に向けて、生体情報測定装置本体固定部２０を手の甲にのせる。そして、指装着部１０を親指を除く何れかの指に巻回して、先端部の裏面側の雌型面ファスナ１２を基端部の表面の雄型面ファスナ１１に押圧して面ファスナ同士を係合させ固定する。その際、指装着部１０のバンド１００の表面に印刷してある図形１０２の形状から、指に対して適正な締め付け力となるように、面ファスナ１１、１２の係合位置を調整する。なお、本実施例は、人差し指に装着するタイプの生体情報測定装置用ホルダである。
【００５６】
手首装着部３０は、図９（１）〜（３）に示すように、手首の外側から下側を通し手首の内側に巻回させ生体情報測定装置用ホルダ１の裏面側から、折り返し用穴２４を先端部から通し、先端部側を手首の下側方向に折り返して、先端部側の雌雄混合型面ファスナ３１を基端側の雌雄混合型面ファスナ３２に押圧して係止める。
【００５７】
この生体情報測定装置用ホルダ１は、一枚の伸縮自在な布部材４０をベースとして構成され、各図に示されるように、中央に膨らみをもたせたやや幅広に形成された生体情報測定装置本体固定部２０と、この生体情報測定装置本体固定部２０から手の指側に延出してベルト形状の形成された指装着部１０と、生体情報測定装置本体固定部２０の手首側に延出してベルト状に形成された手首装着部３０とから構成される。従って、生体情報測定装置用ホルダ１には、掌を覆う部分がないため、手に汗をかいて脱ぎにくくなることも無い。また、掌を覆う部分がないこと及び親指に生体情報測定装置用ホルダがかからず親指がフリーになることから、手をスムーズに動かすことができる。また、指装着部１０及び手首装着部３０を、共に巻回して係止できるため、簡単に手に装着することができる。
【００５８】
また、指装着部１０及び手首装着部３０の係止のために、面ファスナが設けられている。従って、押しつけたり、引張ったりすることで、簡単に着脱することができる。
【００５９】
また、指装着部１０の先端側及びその基端側に設けられた面ファスナの間に脈拍センサを係止するためのセンサ取付穴１３が設けられているため、このセンサ取付穴１３に脈拍センサを装着することもできる。このセンサ取付穴１３に脈拍センサを装着すれば、生体情報測定装置用ホルダ１を装着するだけで、脈拍計を手に装着することが可能となる。従って、脈拍計の装着が非常に簡単にできることとなる。
【００６０】
また、生体情報測定装置本体固定部２０には、脈拍計本体５０に設けられた係止部５１により形成された穴に脈拍計本体５０の裏面側から差し込んだ後、折り返して、折り返した部分を係止することにより、脈拍計本体５０を固定することができる折り返し部２２が設けられており、この折り返し部２２及びその折り返し部２２が折り返して係止される部分が、雌雄混在型の面ファスナ２１により形成されている。従って、この折り返し部２２を利用することにより、脈拍計本体５０を簡単に素早く生体情報測定装置用ホルダ１に固定することが可能となる。また、その取り外しも簡単で素早く行うことが可能となる。
【００６１】
また、生体情報測定装置本体固定部２０には、通気用穴２５が設けられているため、この穴から汗が蒸発し易くなり、手が汗で蒸れ難くなるため、良い装着感が得られる。
【００６２】
また、生体情報測定装置本体固定部２０には、手首装着部３０の先端部分側を通し、その先端部側を折り返して手首装着部３０に係止することができる折り返し用穴が設けられていると共に、樹脂製のグロメット２３が設けられているので、手首装着部３０の先端部分をスムーズに折り返し用穴２４に通すことができる。
また、生体情報測定装置用ホルダ１は、伸縮自在の一枚の布部材４０の所定箇所に、面ファスナを縫着して形成されている。従って、生体情報測定装置用ホルダ１のベースとなる布部材が複数層から構成されず、面ファスナも縫着で簡単に固着できるため、製造が容易で、製造コストも低く抑えることが可能となる。また、伸縮性を有する布部材４０をベースとするため、生体情報測定装置用ホルダが装着時に手にフィットしやすくなり、良い装着感を得ることができる。また、指装着部１０のセンサ取付穴１３に脈拍センサを係止した場合、脈拍センサがしっかりと指表面に押し付けられるため、脈拍を安定して計測することができる。
【００６３】
また、生体情報測定装置用ホルダ１が、指装着部１０により、手の指方向に、手首装着部３０により、手首の手の小指側側面方向及び手首の手の親指側側面方向（手首装着部３０の基端部側に引張ると共に、折り返し用穴２４に手首装着部３０の先端部を通して引張るため）に引張られて三点支持で固定されるため、生体情報測定装置本体固定部２０がしっかりと手の甲に固定される。従って、生体情報測定装置本体固定部２０に固定された脈拍計本体１がぶれ難くなり、脈拍計本体５０の数値表示も見易くなる。
【００６４】
なお、上記実施形態では、指に巻き付けるバンドに本発明を適用した場合を示したが、手首や腕に巻き付けるバンドに本発明を適用することもできる。
【００６５】
また、上記実施形態における脈拍センサとしては、主に感圧センサを想定しているが、光電脈波センサを使用してもよいし、脈拍センサ以外の生体情報測定センサを使用してもよい。
【図面の簡単な説明】
【００６６】
【図１】本発明の実施形態の生体情報測定センサ取付用バンドの斜視図である。
【図２】同バンドの伸長量と図形１０２の形状の変化を示す図であり、（ａ）は伸長量不足（＝締め付け力不足）のとき、（ｂ）は適正な伸長量（適正締め付け力）のとき、（ｃ）は伸長量過大（＝締め付け力過大）のときを示す。
【図３】本発明で採用し得る図形１０２の形状例（ａ）〜（ｅ）と図形の形状の変化を示す図である。
【図４】本発明の実施形態の生体情報測定装置用ホルダの表面側の展開図である。
【図５】同ホルダの裏面側の展開図である。
【図６】同ホルダの指装着部の変形例を示す表面側の展開図である。
【図７】脈拍計を生体情報測定装置用ホルダに装着固定した状態を示す図である。
【図８】図７のＡ−Ａ断面図である。
【図９】実施形態の生体情報測定装置用ホルダを手に装着する動き及び装着時の状態を示す図であり、（１）は装着時の動きを示す図、（２）及び（３）は装着状態を手の甲側の斜め上方及び掌側から見た図である。
【符号の説明】
【００６７】
１    生体情報測定装置用ホルダ
１０    指装着部
１１    雄型面ファスナ
１２    雌型面ファスナ
１３    センサ取付穴
１４    凸部
２０    生体情報測定装置本体固定部
２１、３１，３２    雌雄混合型面ファスナ
２２    折り返し部
２３    グロメット
２４    折り返し用穴
２５    通気用穴
３０    手首装着部
４０    布部材
５０    脈拍計本体
５１    係止部
６０    脈拍センサ
７０    コード
１００  バンド
１０２  図形
【図１】
2006055517.tif 000003
【図２】
2006055517.tif 000004
【図３】
2006055517.tif 000005
【図４】
2006055517.tif 000006
【図５】
2006055517.tif 000007
【図６】
2006055517.tif 000008
【図７】
2006055517.tif 000009
【図８】
2006055517.tif 000010
【図９】
2006055517.tif 000011